(57)【要約】【課題】第１水平方向に間隔を置かれた２つの柱のうち一方の柱から第２水平方向に隔てられた位置と他方の柱から前記第２水平方向に隔てられた位置との間の空間に耐震壁を存在させることなく、地震時に各柱に作用する振動エネルギーを吸収できるようにし、前記空間を有効に利用できるようにすること。【解決手段】建物は、第１水平方向に間隔を置かれた２つの第１柱であって一方の第１柱が、第２水平方向に隣接する第１領域及び第２領域をもつ面を有し、他方の第１柱が、前記第２水平方向に隣接する第１領域及び第２領域をもつ、前記面と向き合う面を有する２つの第１柱と、前記一方の第１柱の前記第２領域と前記他方の第１柱の前記第２領域との間の複数の第３柱と、一方の最外側の第３柱と前記一方の第１柱の前記第２領域との間の第１ダンパーと、他方の最外側の第３柱と前記他方の第１柱の前記第２領域との間の第２ダンパーとを含む。【選択図】図１
2012067558.tif 000002
【特許請求の範囲】
【請求項１】
第１水平方向に間隔を置かれた２つの第１柱であって一方の第１柱が、前記第１水平方向と直交する第２水平方向に隣接する第１領域及び第２領域をもつ、前記第１水平方向に対して垂直な面を有し、他方の第１柱が、それぞれ前記一方の第１柱の前記第１領域及び前記第２領域から前記第１水平方向に隔てられた前記第２水平方向に隣接する第１領域及び第２領域をもつ、前記一方の第１柱の前記面と向き合う前記第１水平方向に対して垂直な面を有する２つの第１柱と、
前記一方の第１柱の前記第１領域と前記他方の第１柱の前記第１領域との間に配置された少なくとも１本の第２柱と、
前記第２柱と前記一方の第１柱の前記第１領域とを連結する第１梁と、前記第２柱と前記他方の第１柱の前記第１領域とを連結する第２梁と、
前記一方の第１柱の前記第２領域と前記他方の第１柱の前記第２領域との間に前記第１水平方向に間隔を置いて配置された複数の第３柱であって一方の最外側の第３柱が前記一方の第１柱の前記第２領域から前記第１水平方向に隔てられ、他方の最外側の第３柱が前記他方の第１柱の前記第２領域から前記第１水平方向に隔てられた複数の第３柱と、
前記第３柱の隣接する２つを連結する第３梁と、
前記一方の最外側の第３柱と前記一方の第１柱の前記第２領域との間に配置され、一端部が前記一方の最外側の第３柱に、他端部が前記一方の第１柱の前記第２領域にそれぞれ取り付けられた第１ダンパーと、
前記他方の最外側の第３柱と前記他方の第１柱の前記第２領域との間に配置され、一端部が前記他方の最外側の第３柱に、他端部が前記他方の第１柱の前記第２領域にそれぞれ取り付けられた第２ダンパーとを含む、建物。
【請求項２】
前記一方の第１柱の前記第２領域は前記第１領域から前記第１水平方向の外方へ隔てられており、前記一方の最外側の第３柱と前記一方の第１柱の前記第２領域との間の間隔は前記一方の第１柱の前記第１領域と前記第２領域との間の間隔と等しい、請求項１に記載の建物。
【請求項３】
前記他方の第１柱の前記第２領域は前記第１領域から前記第１水平方向の外方へ隔てられており、前記他方の最外側の第３柱と前記他方の第１柱の前記第２領域との間の間隔は前記他方の第１柱の前記第１領域と前記第２領域との間の間隔と等しい、請求項１又は２に記載の建物。
【発明の詳細な説明】
【技術分野】
【０００１】
本発明は、ダンパーを有する建物に関する。
【背景技術】
【０００２】
従来、建物には、第１水平方向に間隔を置かれた２つの第１柱と、該第１柱の間に配置された第２柱と、該第２柱と前記第１柱のうち一方の第１柱とを連結する第１梁と、前記第２柱と他方の第１柱とを連結する第２梁と、前記一方の第１柱から前記第１水平方向と直交する第２水平方向に隔てられた位置に配置された一端部及び前記他方の第１柱から前記第２水平方向に隔てられた位置に配置された他端部を有する前記第２水平方向に対して垂直な耐震壁とを含むものがある（特許文献１参照）。
【０００３】
前記建物は、前記耐震壁の前記一端部から前記第１水平方向の外方へ間隔を置かれた第３柱と、該第３柱と前記耐震壁の前記一端部との間に配置され、一端部が前記第３柱に、他端部が前記耐震壁の前記一端部にそれぞれ取り付けられた第１ダンパーと、前記耐震壁の前記他端部から前記第１水平方向の外方へ間隔を置かれた第４柱と、該第４柱と前記耐震壁の前記他端部との間に配置され、一端部が前記第４柱に、他端部が前記耐震壁の前記他端部にそれぞれ取り付けられた第２ダンパーと、前記第３柱と前記一方の第１柱とを連結する第３梁と、前記第４柱と前記他方の第１柱とを連結する第４梁とを含む。
【０００４】
地震時に前記第１柱、前記第２柱、前記第３柱、前記第４柱、前記第１梁、前記第２梁、前記第３梁及び前記第４梁のそれぞれは前記第１水平方向の力を受けて振動し、これらに振動エネルギーが作用する。このとき、前記第３柱と前記耐震壁の前記一端部との間の間隔及び前記第４柱と前記耐震壁の前記他端部との間の間隔は僅かに変化し、前記第１ダンパー及び前記第２ダンパーのそれぞれは変形する。これにより、前記第１ダンパー及び前記第２ダンパーのそれぞれは前記振動エネルギーを吸収し、前記振動は小さくなる。
【先行技術文献】
【特許文献】
【０００５】
【特許文献１】特開平８−７４４４２号公報
【発明の概要】
【発明が解決しようとする課題】
【０００６】
前記耐震壁の前記一端部及び前記他端部がそれぞれ前記一方の第１柱から前記第２水平方向に隔てられた位置及び前記他方の第１柱から前記第２水平方向に隔てられた位置に配置されているため、前記一方の第１柱から前記第２水平方向に隔てられた位置と前記他方の第１柱から前記第２水平方向に隔てられた位置との間の空間に前記耐震壁が存在し、前記空間を有効に利用することができない。
【０００７】
本発明の目的は、第１水平方向に間隔を置かれた２つの第１柱と、該第１柱の間に配置された第２柱と、該第２柱と前記第１柱のうち一方の第１柱とを連結する第１梁と、前記第２柱と他方の第１柱とを連結する第２梁とを有する建物において、前記一方の第１柱から前記第１水平方向と直交する第２水平方向に隔てられた位置と前記他方の第１柱から前記第２水平方向に隔てられた位置との間の空間に耐震壁を存在させることなく、地震時に各第１柱に作用する振動エネルギーを吸収できるようにし、前記空間を有効に利用できるようにすることである。
【課題を解決するための手段】
【０００８】
本発明は、第１水平方向に間隔を置かれた２つの第１柱のうち一方の第１柱の第２領域と該第２領域から前記第１水平方向に隔てられた、他方の第１柱の第２領域との間に前記第１水平方向に間隔を置いて配置された複数の第３柱と、該第３柱の隣接する２つを連結する第３梁と、前記第３柱のうち一方の最外側の第３柱と前記一方の第１柱の前記第２領域との間に配置された第１ダンパーと、他方の最外側の第３柱と前記他方の第１柱の前記第２領域との間に配置された第２ダンパーとを用いて、地震時に各第１柱に作用する振動エネルギーを吸収する。これにより、前記一方の第１柱から前記第１水平方向と直交する第２水平方向に隔てられた位置と前記他方の第１柱から前記第２水平方向に隔てられた位置との間の空間に耐震壁を存在させることなく前記振動エネルギーを吸収できるようにし、前記空間を有効に利用できるようにする。
【０００９】
本発明に係る建物は、第１水平方向に間隔を置かれた２つの第１柱であって一方の第１柱が、前記第１水平方向と直交する第２水平方向に隣接する第１領域及び第２領域をもつ、前記第１水平方向に対して垂直な面を有し、他方の第１柱が、それぞれ前記一方の第１柱の前記第１領域及び前記第２領域から前記第１水平方向に隔てられた前記第２水平方向に隣接する第１領域及び第２領域をもつ、前記一方の第１柱の前記面と向き合う前記第１水平方向に対して垂直な面を有する２つの第１柱と、前記一方の第１柱の前記第１領域と前記他方の第１柱の前記第１領域との間に配置された少なくとも１本の第２柱と、該第２柱と前記一方の第１柱の前記第１領域とを連結する第１梁と、前記第２柱と前記他方の第１柱の前記第１領域とを連結する第２梁と、前記一方の第１柱の前記第２領域と前記他方の第１柱の前記第２領域との間に前記第１水平方向に間隔を置いて配置された複数の第３柱であって一方の最外側の第３柱が前記一方の第１柱の前記第２領域から前記第１水平方向に隔てられ、他方の最外側の第３柱が前記他方の第１柱の前記第２領域から前記第１水平方向に隔てられた複数の第３柱と、該第３柱の隣接する２つを連結する第３梁と、前記一方の最外側の第３柱と前記一方の第１柱の前記第２領域との間に配置され、一端部が前記一方の最外側の第３柱に、他端部が前記一方の第１柱の前記第２領域にそれぞれ取り付けられた第１ダンパーと、前記他方の最外側の第３柱と前記他方の第１柱の前記第２領域との間に配置され、一端部が前記他方の最外側の第３柱に、他端部が前記他方の第１柱の前記第２領域にそれぞれ取り付けられた第２ダンパーとを含む。
【００１０】
地震時に前記一方の第１柱、前記他方の第１柱、前記第２柱、前記第１梁及び前記第２梁のそれぞれは前記第１水平方向の力を受けて振動し、これらに振動エネルギーが作用する。このとき、前記一方の第１柱の前記第２領域と前記一方の最外側の第３柱との間の間隔及び前記他方の第１柱の前記第２領域と前記他方の最外側の第３柱との間の間隔のそれぞれは僅かに変化し、前記第１ダンパー及び前記第２ダンパーのそれぞれは変形する。これにより、前記第１ダンパー及び前記第２ダンパーのそれぞれは前記振動エネルギーを吸収し、前記振動は小さくなる。
【００１１】
このようにして前記一方の第１柱の前記第２領域と該第２領域から前記第１水平方向に隔てられた前記他方の第１柱の前記第２領域との間に前記第１水平方向に間隔を置いて配置された前記第３柱と、該第３柱の隣接する２つを連結する第３梁と、前記一方の最外側の第３柱と前記一方の第１柱の前記第２領域との間に配置された前記第１ダンパーと、前記他方の最外側の第３柱と前記他方の第１柱の前記第２領域との間に配置された第２ダンパーとを用いて前記振動エネルギーを吸収することができる。このため、従来のように前記一方の第１柱から前記第２水平方向に隔てられた位置と前記他方の第１柱から前記第２水平方向に隔てられた位置との間の空間に耐震壁を存在させることなく前記振動エネルギーを吸収することができ、前記空間を有効に利用することができる。
【００１２】
前記一方の第１柱の前記第２領域は、前記第１領域から前記第１水平方向の外方へ隔てられたものとすることができる。この場合、前記一方の最外側の第３柱と前記一方の第１柱の前記第２領域との間の間隔は前記一方の第１柱の前記第１領域と前記第２領域との間の間隔と等しい。前記他方の第１柱の前記第２領域は、前記第１領域から前記第１水平方向の外方へ隔てられたものとすることができる。この場合、前記他方の最外側の第３柱と前記他方の第１柱の前記第２領域との間の間隔は前記他方の第１柱の前記第１領域と前記第２領域との間の間隔と等しい。
【発明の効果】
【００１３】
本発明によれば、前記一方の第１柱の前記第２領域と該第２領域から前記第１水平方向に隔てられた前記他方の第１柱の前記第２領域との間に前記第１水平方向に間隔を置いて配置された前記第３柱と、該第３柱の隣接する２つを連結する第３梁と、前記一方の最外側の第３柱と前記一方の第１柱の前記第２領域との間に配置された前記第１ダンパーと、前記他方の最外側の第３柱と前記他方の第１柱の前記第２領域との間に配置された前記第２ダンパーとを用いて、地震時に各第１柱に作用する振動エネルギーを吸収することができる。これにより、従来のように前記一方の第１柱から前記第２水平方向に隔てられた位置と前記他方の第１柱から前記第２水平方向に隔てられた位置との間の空間に耐震壁を存在させることなく前記振動エネルギーを吸収することができ、前記空間を有効に利用することができる。
【図面の簡単な説明】
【００１４】
【図１】本発明の第１実施例に係る建物の水平断面図。
【図２】図１の線２における建物の縦断面図。
【図３】本発明の第２実施例に係る建物の水平断面図。
【図４】本発明の第３実施例に係る建物の水平断面図。
【図５】図４の線５における第１ダンパーの側面図。
【図６】図５の線６における第１ダンパーの平面図。
【図７】地震時に第１柱に第１水平方向の外向きの力が作用したときの第１ダンパーの側面図。
【図８】地震時に第１柱に第１水平方向の内向きの力が作用したときの第１ダンパーの側面図。
【発明を実施するための形態】
【００１５】
図１に示すように、建物１０が構築されており、該建物は、第１水平方向（図１における上下方向）に間隔を置かれた２つの第１柱１２、１４を含む。一方の第１柱１２は、前記第１水平方向に対して垂直な面１６を有し、他方の第１柱１４は、一方の第１柱１２の面１６と向き合う、前記第１水平方向に対して垂直な面１８を有する。
【００１６】
一方の第１柱１２の面１６は、前記第１水平方向と直交する第２水平方向（図１における左右方向）に隣接する第１領域２０及び第２領域２２をもつ。他方の第１柱１４の面１８は、前記第２水平方向に隣接する第１領域２４及び第２領域２６をもち、他方の第１柱１４の第１領域２４は一方の第１柱１２の第１領域２０から前記第１水平方向に隔てられ、他方の第１柱１４の第２領域２６は一方の第１柱１２の第２領域２２から前記第１水平方向に隔てられている。
【００１７】
建物１０は、一方の第１柱１２の第１領域２０と他方の第１柱１４の第１領域２４との間に配置された第２柱２８と、該第２柱と一方の第１柱１２の第１領域２０とを連結する第１梁３０と、第２柱２８と他方の第１柱１４の第１領域２４とを連結する第２梁３２とを含む。第１柱１２、１４、第２柱２８、第１梁３０及び第２梁３２のそれぞれは鉄筋コンクリートからなる。
【００１８】
建物１０は、一方の第１柱１２の第２領域２２と他方の第１柱１４の第２領域２６との間に前記第１水平方向に間隔を置いて配置された複数の第３柱３４、３４ａ、３４ｂと、該第３柱の隣接する２つを連結する第３梁３６とを含む。第３柱３４、３４ａ、３４ｂのうち一方の最外側の第３柱３４ａは一方の第１柱１２の第２領域２２から前記第１水平方向に隔てられ、他方の最外側の第３柱３４ｂは他方の第１柱１４の第２領域２６から前記第１水平方向に隔てられている。各第３柱３４、３４ａ、３４ｂはいわゆる鋼管コンクリートからなる。すなわち第３柱３４、３４ａ、３４ｂは、鋼管（図示せず）と、該鋼管を満たす、コンクリートからなる充填材（図示せず）とを有する。第３梁３６は鉄骨からなる。
【００１９】
建物１０は、一方の最外側の第３柱３４ａと一方の第１柱１２の第２領域２２との間に配置された第１ダンパー３８と、他方の最外側の第３柱３４ｂと他方の第１柱１４の第２領域２６との間に配置された第２ダンパー４０とを含む。第１ダンパー３８の一端部は一方の最外側の第３柱３４ａに取り付けられ、第１ダンパー３８の他端部は一方の第１柱１２の第２領域２２に取り付けられている。第２ダンパー４０の一端部は他方の最外側の第３柱３４ｂに取り付けられ、第２ダンパー４０の他端部は他方の第１柱１４の第２領域２６に取り付けられている。第１ダンパー３８及び第２ダンパー４０のそれぞれは、液圧シリンダーのような粘性ダンパーでもよいし、弾塑性ダンパー、粘弾性ダンパー等でもよい。
【００２０】
建物１０は、図２に示すように、第３梁３６から上方及び下方のそれぞれへ間隔を置いて配置され、第３柱３４、３４ａ、３４ｂの隣接する２つを連結する他の梁４２と、該他の梁と第３梁３６との間に配置され、前記隣接する２つの一方と他方とに取り付けられた斜材４４とを含む。
【００２１】
地震時に一方の第１柱１２、他方の第１柱１４、第２柱２８、該第２柱と一方の第１柱１２とを連結する第１梁３０及び第２柱２８と他方の第１柱１４とを連結する第２梁３２は前記第１水平方向の力を受けて振動し、これらに振動エネルギーが作用する。このとき、一方の第１柱１２の第２領域２２と一方の最外側の第３柱３４ａとの間の間隔及び他方の第１柱１４の第２領域２６と他方の最外側の第３柱３４ｂとの間の間隔のそれぞれは僅かに変化し、第１ダンパー３８及び第２ダンパー４０のそれぞれは変形する。これにより、第１ダンパー３８及び第２ダンパー４０のそれぞれは前記振動エネルギーを吸収し、前記振動は減衰する。
【００２２】
このようにして、一方の第１柱１２の第２領域２２と他方の第１柱１４の第２領域２６との間に配置された第３柱３４、３４ａ、３４ｂと、該第３柱の隣接する２つを連結する第３梁３６と、一方の最外側の第３柱３４ａと一方の第１柱１２の第２領域２２との間に配置された第１ダンパー３８と、他方の最外側の第３柱３４ｂと他方の第１柱１４の第２領域２６との間に配置された第２ダンパー４０とを用いて前記振動を減衰させる。これにより、従来のように一方の第１柱１２から前記第２水平方向に隔てられた位置と他方の第１柱１４から前記第２水平方向に隔てられた位置との間の空間に耐震壁を存在させることなく前記振動を減衰させることができ、前記空間を有効に利用することができる。
【００２３】
第１柱１２、１４、第２柱２８、第１梁３０及び第２梁３２のそれぞれは、鉄筋コンクリートからなる図１に示した例に代え、鉄骨からなるものでもよい。第３柱３４、３４ａ、３４ｂは、前記鋼管コンクリートからなる図１に示した例に代え、鉄骨からなるものでもよいし、鉄筋コンクリートからなるものでもよい。第３梁３６は、鉄骨からなるからなる図１に示した例に代え、鉄筋コンクリートからなるものでもよい。
【００２４】
図１に示した例では、一方の第１柱１２の面１６及び他方の第１柱１４の面１８のそれぞれは平坦であるが、これに代え、図３に示す例では、一方の第１柱１２の面１６の第２領域２２は第１領域２０から前記第１水平方向の外方（図３における上方）へ隔てられ、他方の第１柱１４の面１８の第２領域２６は第１領域２４から前記第１水平方向の外方（図３における下方）へ隔てられている。一方の最外側の第３柱３４ａと一方の第１柱１２の第２領域２２との間の間隔は一方の第１柱１２の第１領域２０と第２領域２２との間の間隔と等しく、他方の最外側の第３柱３４ｂと他方の第１柱１４の第２領域２６との間の間隔は他方の第１柱１４の第１領域２４と第２領域２６との間の間隔と等しい。
【００２５】
これにより、一方の最外側の第３柱３４ａと他方の最外側の第３柱３４ｂとの間の間隔をより大きくすることができ、地震時の前記第１水平方向の力に対する第３柱３４、３４ａ、３４ｂ及び該第３柱の隣接する２つを連結する第３梁３６の剛性を高めることができる。このため、地震時の一方の第１柱１２の第２領域２２と一方の最外側の第３柱３４ａとの間の間隔の変化及び他方の第１柱１４の第２領域２６と他方の最外側の第３柱３４ｂとの間の間隔の変化のそれぞれをより大きくすることができ、第１ダンパー３８及び第２ダンパー４０のそれぞれを変形させやすくすることができ、前記振動を効果的に減衰させることができる。
【００２６】
なお、図１に示した例では、一方の第１柱１２の第１領域２０と他方の第１柱１４の第１領域２４との間に１本の第２柱２８が配置されているのに対して、図３に示した例では、一方の第１柱１２の第１領域２０と他方の第１柱１４の第１領域２４との間に複数の第２柱２８が前記第１水平方向に間隔を置いて配置されている。この場合、建物１０は、第２柱２８の隣接する２つを連結する梁４６を含む。
【００２７】
図４に示す例では、建物１０は、四角形の平面形状を有する中央部と、該中央部の前記平面形状に対応する平面形状を有する周縁部とを備える。建物１０は、それぞれが前記中央部の隅部に配置された４つの第１柱１２ａ、１２ｂ、１４ａ、１４ｂを含む。
【００２８】
第１柱１２ａ、１２ｂ、１４ａ、１４ｂの第１水平方向（図４における上下方向）に間隔を置かれた２つのうち一方の第１柱１２ａ、１２ｂは、前記第１水平方向に対して垂直な第１面１６ａ、１６ｂを有し、他方の第１柱１４ａ、１４ｂは、一方の第１柱１２ａ、１２ｂの第１面１６ａ、１６ｂと向き合う、前記第１水平方向に対して垂直な第１面１８ａ、１８ｂを有する。一方の第１柱１２ａ、１２ｂの第１面１６ａ、１６ｂは、前記第１水平方向と直交する第２水平方向（図４における左右方向）に隣接する第１領域２０ａ、２０ｂ及び第２領域２２ａ、２２ｂをもち、他方の第１柱１４ａ、１４ｂの第１面１８ａ、１８ｂは、前記第２水平方向に隣接する第１領域２４ａ、２４ｂ及び第２領域２６ａ、２６ｂをもつ。一方の第１柱１２ａ、１２ｂの第２領域２２ａ、２２ｂは第１領域２０ａ、２０ｂの内方にあり、他方の第１柱１４ａ、１４ｂの第２領域２６ａ、２６ｂは第１領域２４ａ、２４ｂの内方にある。一方の第１柱１２ａ、１２ｂ及び他方の第１柱１４ａ、１４ｂのそれぞれの水平断面形状はＬ字形である。
【００２９】
他方の第１柱１４ａ、１４ｂの第１面１８ａ、１８ｂの第１領域２４ａ、２４ｂは一方の第１柱１２ａ、１２ｂの第１面１６ａ、１６ｂの第１領域２０ａ、２０ｂから前記第１水平方向に隔てられ、他方の第１柱１４ａ、１４ｂの第１面１８ａ、１８ｂの第２領域２６ａ、２６ｂは一方の第１柱１２ａ、１２ｂの第１面１６ａ、１６ｂの第２領域２２ａ、２２ｂから前記第１水平方向に隔てられている。建物１０は、一方の第１柱１２ａ、１２ｂの第１面１６ａ、１６ｂの第１領域２０ａ、２０ｂと他方の第１柱１４ａ、１４ｂの第１面１８ａ、１８ｂの第１領域２４ａ、２４ｂとの間に前記第１水平方向に間隔を置いて配置された複数の第２柱２８と、該第２柱のうち一方の最外側の第２柱２８と一方の第１柱１２ａ、１２ｂの第１領域２０ａ、２０ｂとを連結する第１梁３０と、他方の最外側の第２柱２８と他方の第１柱１４ａ、１４ｂの第１領域２４ａ、２４ｂとを連結する第２梁３２と、第２柱２８の隣接する２つを連結する梁４６とを含む。
【００３０】
建物１０は、一方の第１柱１２ａ、１２ｂの第１面１６ａ、１６ｂの第２領域２２ａ、２２ｂと他方の第１柱１４ａ、１４ｂの第１面１８ａ、１８ｂの第２領域２６ａ、２６ｂとの間に前記第１水平方向に間隔を置いて配置された複数の第３柱３４、３４ａ、３４ｂと、該第３柱の隣接する２つを連結する第３梁３６とを含む。第３柱３４、３４ａ、３４ｂのうち一方の最外側の第３柱３４ａは一方の第１柱１２ａ、１２ｂの第１面１６ａ、１６ｂの第２領域２２ａ、２２ｂから前記第１水平方向に隔てられ、他方の最外側の第３柱３４ｂは他方の第１柱１４ａ、１４ｂの第１面１８ａ、１８ｂの第２領域２６ａ、２６ｂから前記第１水平方向に隔てられている。
【００３１】
建物１０は、一方の最外側の第３柱３４ａと一方の第１柱１２ａ、１２ｂの第１面１６ａ、１６ｂの第２領域２２ａ、２２ｂとの間に配置された第１ダンパー３８と、他方の最外側の第３柱３４ｂと他方の第１柱１４ａ、１４ｂの第１面１８ａ、１８ｂの第２領域２６ａ、２６ｂとの間に配置された第２ダンパー４０とを含む。第１ダンパー３８の一端部は一方の最外側の第３柱３４ａに、第１ダンパー３８の他端部は一方の第１柱１２ａ、１２ｂの第１面１６ａ、１６ｂの第２領域２２ａ、２２ｂにそれぞれ取り付けられている。第２ダンパー４０の一端部は他方の最外側の第３柱３４ｂに、第２ダンパー４０の他端部は他方の第１柱１４ａ、１４ｂの第１面１８ａ、１８ｂの第２領域２６ａ、２６ｂにそれぞれ取り付けられている。
【００３２】
一方の第１柱１２ａ、１２ｂの第１面１６ａ、１６ｂの第２領域２２ａ、２２ｂは第１領域２０ａ、２０ｂから前記第１水平方向の外方へ隔てられており、一方の最外側の第３柱３４ａと第２領域２２ａ、２２ｂとの間の間隔は第１領域２０ａ、２０ｂと第２領域２２ａ、２２ｂとの間の間隔と等しい。他方の第１柱１４ａ、１４ｂの第１面１８ａ、１８ｂの第２領域２６ａ、２６ｂは第１領域２４ａ、２４ｂから前記第１水平方向の外方へ隔てられており、他方の最外側の第３柱３４ｂと第２領域２６ａ、２６ｂとの間の間隔は第１領域２４ａ、２４ｂと第２領域２６ａ、２６ｂとの間の間隔と等しい。
【００３３】
第１柱１２ａ、１２ｂ、１４ａ、１４ｂの前記第２水平方向に間隔を置かれた２つのうち一方の第１柱１２ａ、１４ａは、前記第２水平方向に対して垂直な第２面４８ａ、５０ａを有し、他方の第１柱１２ｂ、１４ｂは、一方の第１柱１２ａ、１４ａの第２面４８ａ、５０ａと向き合う、前記第２水平方向に対して垂直な第２面４８ｂ、５０ｂを有する。一方の第１柱１２ａ、１４ａの第２面４８ａ、５０ａは、前記第１水平方向に隣接する第１領域５２ａ、５４ａ及び第２領域５６ａ、５８ａをもち、他方の第１柱１２ｂ、１４ｂの第２面４８ｂ、５０ｂは、前記第１水平方向に隣接する第１領域５２ｂ、５４ｂ及び第２領域５６ｂ、５８ｂをもつ。一方の第１柱１２ａ、１４ａの第２領域５６ａ、５８ａは第１領域５２ａ、５４ａの内方にあり、他方の第１柱１２ｂ、１４ｂの第２領域５６ｂ、５８ｂは第１領域５２ｂ、５４ｂの内方にある。
【００３４】
他方の第１柱１２ｂ、１４ｂの第２面４８ｂ、５０ｂの第１領域５２ｂ、５４ｂは一方の第１柱１２ａ、１４ａの第２面４８ａ、５０ａの第１領域５２ａ、５４ａから前記第２水平方向に隔てられ、他方の第１柱１２ｂ、１４ｂの第２面４８ｂ、５０ｂの第２領域５６ｂ、５８ｂは一方の第１柱１２ａ、１４ａの第２面４８ａ、５０ａの第２領域５６ａ、５８ａから前記第２水平方向に隔てられている。建物１０は、一方の第１柱１２ａ、１４ａの第２面４８ａ、５０ａの第１領域５２ａ、５４ａと他方の第１柱１２ｂ、１４ｂの第２面４８ｂ、５０ｂの第１領域５２ｂ、５４ｂとの間に前記第２水平方向に間隔を置いて配置された複数の第４柱６０と、該第４柱のうち一方の最外側の第４柱６０と一方の第１柱１２ａ、１４ａの第１領域５２ａ、５４ａとを連結する第４梁６２と、他方の最外側の第４柱６０と他方の第１柱１２ｂ、１４ｂの第１領域５２ｂ、５４ｂとを連結する第５梁６４と、第４柱６０の隣接する２つを連結する梁６６とを含む。
【００３５】
建物１０は、一方の第１柱１２ａ、１４ａの第２面４８ａ、５０ａの第２領域５６ａ、５８ａと他方の第１柱１２ｂ、１４ｂの第２面４８ｂ、５０ｂの第２領域５６ｂ、５８ｂとの間に前記第２水平方向に間隔を置いて配置された複数の第５柱６８、６８ａ、６８ｂと、該第５柱の隣接する２つを連結する第６梁７０とを含む。第５柱６８、６８ａ、６８ｂのうち一方の最外側の第５柱６８ａは一方の第１柱１２ａ、１４ａの第２面４８ａ、５０ａの第２領域５６ａ、５８ａから前記第２水平方向に隔てられ、他方の最外側の第５柱６８ｂは他方の第１柱１２ｂ、１４ｂの第２面４８ｂ、５０ｂの第２領域５６ｂ、５８ｂから前記第２水平方向に隔てられている。
【００３６】
建物１０は、一方の最外側の第５柱６８ａと一方の第１柱１２ａ、１４ａの第２面４８ａ、５０ａの第２領域５６ａ、５８ａとの間に配置された第３ダンパー７２と、他方の最外側の第５柱６８ｂと他方の第１柱１２ｂ、１４ｂの第２面４８ｂ、５０ｂの第２領域５６ｂ、５８ｂとの間に配置された第４ダンパー７４とを含む。第３ダンパー７２の一端部は一方の最外側の第５柱６８ａに、第３ダンパー７２の他端部は一方の第１柱１２ａ、１４ａの第２面４８ａ、５０ａの第２領域５６ａ、５８ａにそれぞれ取り付けられている。第４ダンパー７４の一端部は他方の最外側の第５柱６８ｂに、第４ダンパー７４の他端部は他方の第１柱１２ｂ、１４ｂの第２面４８ｂ、５０ｂの第２領域５６ｂ、５８ｂにそれぞれ取り付けられている。
【００３７】
一方の第１柱１２ａ、１４ａの第２面４８ａ、５０ａの第２領域５６ａ、５８ａは第１領域５２ａ、５４ａから前記第２水平方向の外方へ隔てられており、一方の最外側の第５柱６８ａと第２領域５６ａ、５８ａとの間の間隔は第１領域５２ａ、５４ａと第２領域５６ａ、５８ａとの間の間隔と等しい。他方の第１柱１２ｂ、１４ｂの第２面４８ｂ、５０ｂの第２領域５６ｂ、５８ｂは第１領域５２ｂ、５４ｂから前記第２水平方向の外方へ隔てられており、他方の最外側の第５柱６８ｂと第２領域５６ｂ、５８ｂとの間の間隔は第１領域５２ｂ、５４ｂと第２領域５６ｂ、５８ｂとの間の間隔と等しい。
【００３８】
建物１０は、それぞれが前記周縁部における第１柱１２ａ、１２ｂ、１４ａ、１４ｂの前記第１水平方向に間隔を置かれた２つを結ぶ直線上の位置に配置された４つの第６柱７６と、それぞれが前記周縁部における第１柱１２ａ、１２ｂ、１４ａ、１４ｂの前記第２水平方向に間隔を置かれた２つを結ぶ直線上の位置に配置された４つの第７柱７８と、各第１柱１２ａ、１２ｂ、１４ａ、１４ｂと該第１柱から前記第１水平方向の外方へ隔てられた第６柱７６とを連結する第７梁８０と、各第１柱１２ａ、１２ｂ、１４ａ、１４ｂと該第１柱から前記第２水平方向の外方へ隔てられた第７柱７８とを連結する第８梁８２とを含む。
【００３９】
建物１０は、第６柱７６のうち前記第２水平方向に隔てられた２つの間に配置された複数の第８柱８４と、第７柱７８のうち前記第１水平方向に隔てられた２つの間に配置された複数の第９柱８６と、前記周縁部の４つの隅部のそれぞれに配置された複数の第１０柱８８と、第６柱７６、第７柱７８、第８柱８４、第９柱８６及び第１０柱８８のうち隣接する２つを連結する第９梁９０とを含む。
【００４０】
地震時に第１柱１２ａ、１２ｂ、１４ａ、１４ｂは前記第１水平方向の力と前記第２水平方向の力とを受けて振動し、該第１柱に振動エネルギーが作用する。このとき、第１柱１２ａ、１２ｂ、１４ａ、１４ｂの前記第１水平方向に間隔を置かれた２つのうち一方の第１柱１２ａ、１２ｂの第２領域２２ａ、２２ｂと一方の最外側の第３柱３４ａとの間の間隔及び他方の第１柱１４ａ、１４ｂの第２領域２６ａ、２６ｂと他方の最外側の第３柱３４ｂとの間の間隔のそれぞれは僅かに変化し、第１ダンパー３８及び第２ダンパー４０のそれぞれは変形する。また、第１柱１２ａ、１２ｂ、１４ａ、１４ｂの前記第２水平方向に間隔を置かれた２つのうち一方の第１柱１２ａ、１４ａの第２領域５６ａ、５８ａと一方の最外側の第５柱６８ａとの間の間隔及び他方の第１柱１２ｂ、１４ｂの第２領域５６ｂ、５８ｂと他方の最外側の第５柱６８ｂとの間の間隔のそれぞれは僅かに変化し、第３ダンパー７２及び第４ダンパー７４のそれぞれは変形する。これにより、第１ダンパー３８、第２ダンパー４０、第３ダンパー７２及び第４ダンパー７４のそれぞれは前記振動エネルギーを吸収し、前記振動は減衰する。
【００４１】
このようにして第１柱１２ａ、１２ｂ、１４ａ、１４ｂの前記第１水平方向に間隔を置かれた２つのうち一方の第１柱１２ａ、１２ｂの第２領域２２ａ、２２ｂと他方の第１柱１４ａ、１４ｂの第２領域２６ａ、２６ｂとの間に配置された第３柱３４、３４ａ、３４ｂ、第３梁３６、第１ダンパー３８及び第２ダンパー４０と、第１柱１２ａ、１２ｂ、１４ａ、１４ｂの前記第２水平方向に間隔を置かれた２つのうち一方の第１柱１２ａ、１４ａの第２領域５６ａ、５８ａと他方の第１柱１２ｂ、１４ｂの第２領域５６ｂ、５８ｂとの間に配置された第５柱６８、６８ａ、６８ａ、第６梁７０、第３ダンパー７２及び第４ダンパー７４とを用いて前記振動を減衰させる。このため、従来のように建物１０の前記中央部の内部の空間に耐震壁を存在させることなく前記振動を減衰させることができ、前記空間を有効に利用することができる。
【００４２】
建物１０の前記中央部の内部の空間は、駐車場、吹抜け等のために使用され、前記中央部と前記周縁部との間の空間は居住のために使用される。前記中央部の内部の空間に耐震壁が存在しないため、駐車場、吹抜け等のために使用できるスペースを広くすることができる。また、駐車場、吹抜け等のために使用できるスペースを広くしない場合、前記中央部の面積を小さくして、居住のために使用できるスペースを広くすることができる。
【００４３】
最外側の第３柱３４ａ、３４ｂは最外側の第５柱６８ａ、６８ｂに結合されていない。仮に最外側の第３柱３４ａ、３４ｂが最外側の第５柱６８ａ、６８ｂに結合されている場合、第１柱１２ａ、１２ｂ、１４ａ、１４ｂが前記第１水平方向の力を受けて振動したとき、第１柱１２ａ、１２ｂ、１４ａ、１４ｂ、第４柱６０、第４梁６２、第５梁６４及び梁６６は最外側の第３柱３４ａ、３４ｂに対して前記第１水平方向に動き、第５柱６８、６８ａ、６８ｂ及び第６梁７０は最外側の第３柱３４ａ、３４ｂに対して動かない。このため、第１柱１２ａ、１２ｂ、１４ａ、１４ｂ、第４柱６０、第４梁６２、第５梁６４及び梁６６は第５柱６８、６８ａ、６８ｂ及び第６梁７０に対して前記第１水平方向に動き、第１柱１２ａ、１２ｂ、１４ａ、１４ｂ、第４柱６０、第４梁６２、第５梁６４及び梁６６が第５柱６８、６８ａ、６８ｂ及び第６梁７０に当たる恐れがある。したがって、第１柱１２ａ、１２ｂ、１４ａ、１４ｂ、第４柱６０、第４梁６２、第５梁６４及び梁６６が第５柱６８、６８ａ、６８ｂ及び第６梁７０に当たらないようにするために第５柱６８、６８ａ、６８ｂ及び第６梁７０を第１柱１２ａ、１２ｂ、１４ａ、１４ｂ、第４柱６０、第４梁６２、第５梁６４及び梁６６から内方へ隔てておくか、又は、第１柱１２ａ、１２ｂ、１４ａ、１４ｂ、第４柱６０、第４梁６２、第５梁６４及び梁６６を第５柱６８、６８ａ、６８ｂ及び第６梁７０から外方へ隔てておく必要がある。前者の場合、建物１０の前記中央部の内部の空間が狭くなり、駐車場、吹抜け等のために使用できるスペースが狭くなり、後者の場合、建物１０の前記中央部と前記周縁部との間の空間が狭くなり、居住のために使用できるスペースが狭くなる。
【００４４】
これに対して、最外側の第３柱３４ａ、３４ｂが最外側の第５柱６８ａ、６８ｂに結合されていない場合、第１柱１２ａ、１２ｂ、１４ａ、１４ｂが前記第１水平方向の力を受けて振動したとき、第１柱１２ａ、１２ｂ、１４ａ、１４ｂ、第４柱６０、第４梁６２、第５梁６４及び梁６６は第５柱６８、６８ａ、６８ｂ及び第６梁７０とともに最外側の第３柱３４ａ、３４ｂに対して前記第１水平方向に動き、第１柱１２ａ、１２ｂ、１４ａ、１４ｂ、第４柱６０、第４梁６２、第５梁６４及び梁６６が第５柱６８、６８ａ、６８ｂ及び第６梁７０に当たることはない。したがって、第５柱６８、６８ａ、６８ｂ及び第６梁７０を第１柱１２ａ、１２ｂ、１４ａ、１４ｂ、第４柱６０、第４梁６２、第５梁６４及び梁６６から内方へ隔てておく必要はなく、建物１０の前記中央部の内部の空間が狭くなることはなく、駐車場、吹抜け等のために使用できるスペースが狭くなることはない。また、第１柱１２ａ、１２ｂ、１４ａ、１４ｂ、第４柱６０、第４梁６２、第５梁６４及び梁６６を第５柱６８、６８ａ、６８ｂ及び第６梁７０から外方へ隔てておく必要もなく、建物１０の前記中央部と前記周縁部との間の空間が狭くなることはなく、居住のために使用できるスペースが狭くなることはない。
【００４５】
第１ダンパー３８は、図５、６に示す例では、第１柱１２ｂの第１面１６ｂの第２領域２２ｂに固定され、該第２領域から一方の最外側の第３柱３４ａに向けて前記第１水平方向に伸びる第１部材９２と、第１柱１２ｂの第２領域２２ｂと一方の最外側の第３柱３４ａとの間に配置された第２部材９４とを備える。第２部材９４は、第１部材９２に前記第２水平方向に伸びる回転軸線の周りに回転可能に取り付けられた第１位置９６と、該第１位置から上方に隔てられた第２位置９８と、第１位置９６から第１柱１２ｂの第２領域２２ｂに向けて前記第１水平方向に隔てられた第３位置１００とを有する。第１ダンパー３８は、第２部材９４の第２位置９８と一方の最外側の第３柱３４ａとを連結する第３部材１０２と、第２部材９４の第３位置１００から下方へ間隔を置いて第１柱１２ｂの第２領域２２ｂに固定された第４部材１０４と、第２部材９４の第３位置１００と第４部材１０４との間に配置され、上端部が第２部材９４の第３位置１００に、下端部が第４部材１０４にそれぞれ取り付けられた液圧シリンダー１０６とを備える。
【００４６】
図７に示すように、地震時に第１柱１２ｂが前記第１水平方向の外向き（図７における左向き）の力を受けて変形し、第１柱１２ｂの第２領域２２ｂと一方の最外側の第３柱３４ａとの間の間隔が広がったとき、第２部材９４の第１位置９６は第１柱１２ｂから第１部材９２を介して前記第１水平方向の外向きの力を受け、第２部材９４の第２位置９８は一方の最外側の第３柱３４ａから第３部材１０２を介して前記第１水平方向の内向き（図７における右向き）の力を受け、第２部材９４は、該第２部材の第３位置１００が上がるように第１部材９２に対して回転し、液圧シリンダー１０６は伸びる。他方、図８に示すように、第１柱１２ｂが前記第１水平方向の内向きの力を受けて変形し、第１柱１２ｂの第２領域２２ｂと一方の最外側の第３柱３４ａとの間の間隔が狭まったとき、第２部材９４の第１位置９６は第１柱１２ｂから第１部材９２を介して前記第１水平方向の内向きの力を受け、第２部材９４の第２位置９８は一方の最外側の第３柱３４ａから第３部材１０２を介して前記第１水平方向の外向きの力を受け、第２部材９４は、該第２部材の第３位置１００が下がるように第１部材９２に対して回転し、液圧シリンダー１０６は縮む。このようにして液圧シリンダー１０６が上下方向に伸縮することにより、前記振動は減衰する。
【００４７】
ところで、仮に、第１ダンパー３８が、一端部が第１柱１２ｂの第２領域２２ｂに、他端部が一方の最外側の第３柱３４ａにそれぞれ取り付けられた液圧シリンダー（図示せず）からなり、地震時に前記液圧シリンダーを前記第１水平方向に伸縮させて前記振動を減衰させる場合、第１ダンパー３８の前記第１水平方向の寸法は比較的大きい。これに対して、図５、６に示した例では、液圧シリンダー１０６を上下方向に伸縮させて前記振動を減衰させるため、第１ダンパー３８の前記第１水平方向の寸法を比較的小さいものとすることができ、第１柱１２ｂの第２領域２２ｂと一方の最外側の第３柱３４ａとの間の間隔をより小さくすることができる。このため、一方の最外側の第３柱３４ａと他方の最外側の第３柱３４ｂとの間の間隔をより大きくすることができ、地震時の前記第１水平方向の力に対する第３柱３４、３４ａ、３４ｂ及び該第３柱の隣接する２つを連結する第３梁３６の剛性を高めることができる。これにより、地震時の第１柱１２ｂの第２領域２２ｂと一方の最外側の第３柱３４ａとの間の間隔及び第１柱１４ｂの第２領域２６ｂと他方の最外側の第３柱３４ｂとの間の間隔のそれぞれの変化をより大きくすることができ、第１ダンパー３８及び第２ダンパー４０のそれぞれを変形させやすくすることができ、前記振動を効果的に減衰させることができる。
【００４８】
第２部材９４の第１位置９６と第３位置１００との間の間隔は第１位置９６と第２位置９８との間の間隔より大きい。これにより、地震時に第１柱１２ｂが前記第１水平方向の力を受けて振動し、第１柱１２ｂの第２領域２２ｂと一方の最外側の第３柱３４ａとの間の間隔が変化し、第２部材９４が第１部材９２に対して回転したときの第２部材９４の第３位置１００の上下方向の移動量を第１位置９６と第２位置９８との間の間隔と第１位置９６と第３位置１００との間の間隔との比に応じて増すことができ、液圧シリンダー１０６を効果的に伸縮させることができ、前記振動を効果的に減衰させることができる。
【００４９】
第２ダンパー４０、第３ダンパー７２及び第４ダンパー７４のそれぞれは、第１ダンパー３８と同様に、第１部材９２と、第２部材９４と、第３部材１０２と、第４部材１０４と、液圧シリンダー１０６とを備えるものとすることができる。この場合、第２ダンパー４０の第１部材及び第４部材のそれぞれは第１柱１４ａ、１４ｂの第１面１８ａ、１８ｂの第２領域２６ａ、２６ｂに固定され、第２ダンパー４０の第３部材は第２部材の第２位置と他方の最外側の第３柱３４ｂとを連結する。第３ダンパー７２の第１部材及び第４部材のそれぞれは第１柱１２ａ、１４ａの第２面４８ａ、５０ａの第２領域５６ａ、５８ａに固定され、第３ダンパー７２の第３部材は第２部材の第２位置と一方の最外側の第５柱６８ａとを連結する。第４ダンパー７４の第１部材及び第４部材のそれぞれは第１柱１２ｂ、１４ｂの第２面４８ｂ、５０ｂの第２領域５６ｂ、５８ｂに固定され、第４ダンパー７４の第３部材は第２部材の第２位置と他方の最外側の第５柱６８ｂとを連結する。
【符号の説明】
【００５０】
１０    建物
１２、１４    第１柱
１６、１８    面
２０、２４    第１領域
２２、２６    第２領域
２８    第２柱
３０    第１梁
３２    第２梁
３４、３４ａ、３４ｂ    第３柱
３６    第３梁
３８    第１ダンパー
４０    第２ダンパー
【図１】
2012067558.tif 000003
【図２】
2012067558.tif 000004
【図３】
2012067558.tif 000005
【図４】
2012067558.tif 000006
【図５】
2012067558.tif 000007
【図６】
2012067558.tif 000008
【図７】
2012067558.tif 000009
【図８】
2012067558.tif 000010